(57)【要約】【課題】ディスクの傷つき防止を図ったディスク装填装置を提供すること。【解決手段】  左右一対のディスク検出部材間をディスクで押し広げて両ディスク検出部材を同期回動させ、両ディスク検出部材の検出信号により前記ディスクを搬送ローラとディスクガイドとで挟持して搬送するディスク装填装置において、前記各ディスク検出部材に一端から他端に向けて漸次高くなる細長い傾斜リブを一体形成して、互いの傾斜リブの一端同士を他端同士より近接させ、両ディスク検出部材の回動に伴ない各他端をディスク挿入方向の奥側へ変位させ、少なくとも前記搬送ローラがディスクの搬送を開始するまで、傾斜リブによりディスクの前記クランパ支持機構への当接を防止するようにした。【選択図】図４
2008165905.tif 000002
【特許請求の範囲】
【請求項１】
ディスク挿入中心線（９）に対して左右対称位置に各回動支点（１４）を有し、ディスク挿入口（８）より挿入されたディスクの外周でディスク挿入口近傍に位置するディスク接触部（１３）を押し広げられて同期回動して該ディスクの挿入を検出する一対のディスク検出部材（１２）と、前記ディスク接触部と前記両ディスク検出部材の回動支点との間に配置され前記両ディスク検出部材の検出信号により前記ディスクを挟持してディスク搬送を行なうディスクガイド（１９）および搬送ローラ（１７）と、前記両ディスク検出部材の回動支点より奥側位置に軸心線を前記ディスク挿入中心線と交差させて配置され前記搬送ローラにより搬送されたディスクを挟持して該ディスクを回転駆動するターンテーブル（５）およびクランパ（３）と、このクランパを支持するクランパ支持機構（４）とを具備したディスク装填装置において、
前記各ディスク検出部材に一端（２０ａ）から他端（２０ｂ）に向けて漸次高くなる細長い傾斜リブ（２０）を一体形成して、互いの傾斜リブの一端同士を他端同士より近接させ、両ディスク検出部材の回動に伴ない各他端をディスク挿入方向の奥側へ変位させ、少なくとも前記搬送ローラがディスクの搬送を開始するまで、傾斜リブによりディスクの前記クランパ支持機構への当接を防止することを特徴とするディスク装填装置。
【請求項２】
前記傾斜リブは、その一端と他端とが、各ディスク検出部材の、ディスク接触部と回動支点とを結ぶ線を跨いで回動支点近傍位置に、形成されていることを特徴とする請求項１に記載のディスク装填装置。
【請求項３】
前記傾斜リブは、初期位置において、平面図上で、前記搬送ローラとほぼ平行に配置されていることを特徴とする請求項２に記載のディスク装填装置。
【発明の詳細な説明】
【技術分野】
【０００１】
本発明は、ディスクを円滑に挿入でき、かつディスクの傷つき防止を図ったディスク装填装置に関する。
【背景技術】
【０００２】
挿入されたディスクを搬送ローラとディスクガイドとの間で挟持し、搬送ローラの回転によりターンテーブルとクランパとの間に搬送するディスク装填装置にあっては、薄型化を図るため、待機中のクランパとこれを支持するクランパ支持機構とをディスク搬送路に近接させている。
そのため、ディスク挿入時にディスクの先端を上方に向け過ぎるといった誤った取扱いがなされると、ディスクの円滑な挿入が妨げられたり、ディスクを損傷する恐れがある。
【０００３】
特開２００６−１６４４５５号公報には、ディスクが誤って上向きに挿入されてもディスクがターンテーブルとクランパとの間に正しく誘導されるように、検知レバー（１１）にガイド面（１１ａ）及び傾斜面（１１ｂ）を設け、クランパ（８）には誘導部（８ａ）を設けたディスクローディング装置が開示されている。
【特許文献１】特開２００６−１６４４５５号
【発明の開示】
【発明が解決しようとする課題】
【０００４】
特開２００６−１６４４５５号公報に開示されたディスクローディング装置は、ディスクをターンテーブルとクランパとの間に確実に誘導することを目的としているため、ディスクを検知レバー（１１）の傾斜面（１１ｂ）に当接させた後、ディスクの上面を検知レバー（１１）のガイド面（１１ａ）に摺接させる。そのため、ディスク挿入時にディスクの上面を検知レバー（１１）のガイド面（１１ａ）によって傷つけてしまう恐れがある。
通常、ディスクの上面にはデータを記録しないので、上面を傷つけてもデータを破損することはないが、ディスクに傷をつけること自体、好ましくない。しかも、近年、ディスクの両面を記録面とするものも開発されているので、いずれの面も傷つけない対策が望まれていた。
【０００５】
本発明は、このような問題に鑑みてなされたもので、ディスクの挿入時に誤った取扱いがなされても、ディスクの円滑な挿入が妨げられず、かつ、いずれの面も損傷することのないディスク装填装置を提供することを目的とする。
【課題を解決するための手段】
【０００６】
ディスク挿入中心線に対して左右対称位置に各回動支点を有し、ディスク挿入口より挿入されたディスクの外周でディスク挿入口近傍に位置するディスク接触部を押し広げられて同期回動して該ディスクの挿入を検出する一対のディスク検出部材と、前記ディスク接触部と前記両ディスク検出部材の回動支点との間に配置され前記両ディスク検出部材の検出信号により前記ディスクを挟持してディスク搬送を行なうディスクガイドおよび搬送ローラと、前記両ディスク検出部材の回動支点より奥側位置に軸心線を前記ディスク挿入中心線と交差させて配置され前記搬送ローラにより搬送されたディスクを挟持して該ディスクを回転駆動するターンテーブルおよびクランパと、このクランパを支持するクランパ支持機構とを具備したディスク装填装置において、前記各ディスク検出部材に一端から他端に向けて漸次高くなる細長い傾斜リブを一体形成して、互いの傾斜リブの一端同士を他端同士より近接させ、両ディスク検出部材の回動に伴ない各他端をディスク挿入方向の奥側へ変位させ、少なくとも前記搬送ローラがディスクの搬送を開始するまで、傾斜リブによりディスクの前記クランパ支持機構への当接を防止するようにした。
【０００７】
前記傾斜リブは、その一端と他端とが、各ディスク検出部材の、ディスク接触部と回動支点とを結ぶ線を跨いで回動支点近傍に位置するように形成するとよい。
【０００８】
前記傾斜リブは、初期位置において、平面図上で前記搬送ローラとほぼ平行に配置するとよい。
【発明の効果】
【０００９】
ディスク検出部材に一体形成された傾斜リブによってクランパ支持機構に当接するのを防止するので、ディスクの挿入時に誤った取扱いがなされても、ディスクがクランパ支持機構に当接することはなく、ディスクを円滑に挿入することができる。また、ディスクがディスク検出部材の傾斜リブに当接する場合でも、ディスクの縁部が傾斜リブに当接することになるので、ディスクのいずれの面も損傷することがない。
【００１０】
前記傾斜リブを、各ディスク検出部材の、ディスク接触部と回動支点との間に設けることにより、ディスク検出部材が大型化することはない。特に、傾斜リブを回動支点近傍に設けることにより、傾斜リブの移動量を小さくでき、ディスク検出部材を小スペース内にコンパクトに配置できる。
【００１１】
ディスクを挿入した際、ディスクが傾斜リブの一端側から摺接し始めるようにするためには、一端側をできる限り手前に配置することが望ましい。また傾斜リブの他端側が、あまり奥の方まで移動し過ぎると、クランパ支持機構等と干渉することになるので、できる限り手前に配置することが望ましい。従って、一端側、他端側共に手前に配置することが望まれるが、傾斜リブを、初期位置において、平面図上で前記搬送ローラとほぼ平行に配置することにより、上記の要件を満足することができ、より一層小スペース内にコンパクトに配置できる。
【発明を実施するための最良の形態】
【００１２】
以下、本発明のディスク装填装置を実施するための最良の形態を、図面を参照して説明する。
図１はディスク装填装置を内蔵したディスク再生機を示すものである。ディスク再生機の外筐１には、天板の中央部にクランパ取付部２が設けられている。そして、クランパ取付部２の下面側には図２に示すように、クランパ３を挟む左右対称位置にクランパ支持機構４が取付けられ、このクランパ支持機構４にテーパ面を有するクランパ３が支持されている。また、外筐１内には、前記クランパ３の下方位置に、ターンテーブル５が軸心線をクランパ３の軸心線と一致させて配置されている（図３参照）。前記クランパ支持機構４は外筐１に対して回動自在なリンク部材６と、前記リンク部材６に軸支された引き離し部材７とからなる。
【００１３】
外筐１の前板には図１に示すようにディスク挿入口８が設けられている。図中Ａは、ディスクの挿入方向を示している。また、図１、２に示すように天板の前記ディスク挿入口８に近い部位を部分的に凹ませて、この部分をガイドプレート１０としている。ガイドプレート１０の前後縁部にはガイドプレート１０の上面側から天板の下面側に通じる開口部１１が設けられている。
図２中、符号９は、前記ディスク挿入方向Ａと平行で、かつ前記クランパ３およびターンテーブル５の軸心線と交差するディスク挿入中心線を示す。前記ガイドプレート１０上には、ディスク挿入中心線９に対して左右対称の位置に、一対のディスク検出部材１２が配置されている。各ディスク検出部材１２は、開口部１１を通してガイドプレート１０の奥側と手前側の、天板の下面側に延びている。
【００１４】
各ディスク検出部材１２は、ディスク挿入口８の近傍まで延長された延長端をディスク接触部１３とし、前記クランパ支持機構４の近傍まで延長された延長端に回動支点１４を有している。また、ガイドプレート１０上には、両ディスク検出部材１２間に、互いに噛合する左右一対の連動ギヤ１５を配置し、各ディスク検出部材１２には各連動ギヤ１５と噛合する円弧ギヤ部１６を形成し、これら各一対の連動ギヤ１５で両ディスク検出部材１２を左右対称に同期回動させるようにしている。各連動ギヤ１５と外筐１との間にはコイルばね１５ａが掛渡され、左右のディスク接触部１３を互いに接近させる方向に両ディスク検出部材１２を回動付勢している。
【００１５】
図３に示すように、ガイドプレート１０の下面にはガイド突条１８を突設してなり、それらのガイド突条１８と搬送ローラ１７とでディスクＤを挟持し、搬送ローラ１７の回転により該ディスクＤを搬送するようにしている。前記ガイド突条１８は、ディスクの挿入方向に対して搬送ローラ１７の手前側と奥側位置に左右各一対ずつ配置されており（左側のみ図示）、これらのガイド突条１８とガイドプレート１０とでディスクガイド１９を構成している。
【００１６】
前記両ディスク検出部材１２はほぼ左右対称の形状をなし、図４に裏返して見た斜視図として示すように（右方のみ示す）、下面側に、一端２０ａから他端２０ｂに向けて漸次高くなる細長い傾斜リブ２０を一体形成している。互いの傾斜リブ２０は図２に示すように、一端同士２０ａ、２０ａを他端同士２０ｂ、２０ｂより近接させている。
【００１７】
また、前記傾斜リブ２０は、図４に示すように、各ディスク検出部材１２の、ディスク接触部１３と回動支点１４との間における回動支点１４近傍位置に形成されており、一端２０ａおよび他端２０ｂは、ディスク接触部１３と回動支点１４とを結ぶ線を跨いで配置されている。
【００１８】
さらに、前記傾斜リブ２０は、ディスクが挿入されていない初期位置において、平面図上で前記搬送ローラ１７とほぼ平行に配置されている（図２、３参照）。
【００１９】
次にディスク装填装置の動作について説明する。
図５の如く、ディスク挿入口８（図１参照）よりディスクＤを、両ディスク検出部材１２のディスク接触部１３間を押し広げながら挿入すると、ディスク検出部材１２の回動によりディスクＤが挿入されたことを検出し、この検出信号により、図示しないモータが起動して、搬送ローラ１７を回転駆動する。
【００２０】
図３、５の如く、ディスクＤの上面側外周縁がガイド突条１８に接触し、ディスクＤの最先部が搬送ローラ１７に接触するようになると、搬送ローラ１７はディスクＤを引き込みながら押し下げられて、ディスクガイド１９のガイド突条１８と搬送ローラ１７とでディスクＤを挟持し、ディスクＤは搬送ローラ１７の回転により挿入方向に吸い込まれ、クランパ３とターンテーブル５との間に搬送される。
【００２１】
ところで、ディスクＤを挿入する際に、図３に実線で示す如くほぼ水平方向に挿入されてクランパ３とターンテーブル５との間に達するのが望ましい。仮に、図６（ａ）に実線で示すようにディスクＤが水平方向に挿入されず、仮想線Ｄ２で示す如く上方に向けて挿入された場合には、ディスク検出部材１２に傾斜リブ２０が設けられていないとすると、ディスクＤの先端がクランパ支持機構４に当接して挿入が妨げられる恐れがある。
ところが、ディスク検出部材１２には傾斜リブ２０が設けられているので、ディスクＤが先端をやや上方に向けて挿入された場合でも、ディスクＤは、図６（ｂ）にＤ１で示す如く、ディスク検出部材１２の傾斜リブ２０によって上方への傾きが制限され、ディスクＤがクランパ支持機構４に当接して挿入を妨げられる恐れはない。
【００２２】
このとき、ディスクＤは図５の如く傾斜リブ２０の傾斜面に対して外周縁を摺接させることになるので、ディスクＤの両面に情報が記録されている場合でも、傾斜リブ２０によって記録面を傷つけることはない。
【００２３】
また、前記傾斜リブ２０の一端２０ａと他端２０ｂを、各ディスク検出部材１２の、ディスク接触部１３と回動支点１４とを結ぶ線を跨いで配置し、傾斜リブ２０を回動支点１４近傍位置に形成しているため、傾斜リブ２０の移動量を小さくでき、ディスク検出部材１２を小スペース内にコンパクトに配置できる。
【００２４】
さらに、両ディスク検出部材１２の傾斜リブ２０を、初期位置において、平面図上で前記搬送ローラ１７とほぼ平行となるように配置しているので、傾斜リブ２０の一端２０ａ側、他端２０ｂ側共にディスク装填装置の手前に配置することができ、より一層小スペース内にコンパクトに配置できる。
【図面の簡単な説明】
【００２５】
【図１】ディスク装填装置を内蔵したディスク再生機の斜視図。
【図２】ディスク装填装置の平面図。
【図３】ガイドプレートおよび搬送ローラとクランパおよびターンテーブルとの関係を示す側面図。
【図４】ディスク検出部材を裏返しにして見た斜視図。
【図５】ディスク検出部材の動作途中の状態を示す下面図。
【図６】傾斜リブの作用を示す説明図。
【符号の説明】
【００２６】
３                 
クランパ
４                 
クランパ支持機構
５                 
ターンテーブル
８                 
ディスク挿入口
９                 
ディスク挿入中心線
１２                ディスク検出部材
１３                ディスク接触部
１４                回動支点
１７                搬送ローラ
１９            ディスクガイド
２０                傾斜リブ
２０ａ             一端
２０ｂ             他端
【図１】
2008165905.tif 000003
【図２】
2008165905.tif 000004
【図３】
2008165905.tif 000005
【図４】
2008165905.tif 000006
【図５】
2008165905.tif 000007
【図６】
2008165905.tif 000008